(57)【要約】【課題】精度良く一体的に樹脂成形された基板ガイド部材などを提供する。【解決手段】基板ガイド部材１０４ｃは、樹脂で一体的に形成されており、筐体の内部に固定される支持部１０８と、支持部１０８から突き出すとともに間隔を空けて挿入方向に延びることにより、基板を通過させるための溝を形成する少なくとも１対の第１突条部１０９及び第２突条部１１０とを備える。少なくとも１対の第１突条部１０９及び前記第２突条部１１０は、基板を案内する複数のガイド部１１３と、複数のガイド部１１３の間を接続する部分であって、複数のガイド部１１３よりも広い間隔で設けられた離間部１１４とを有する。【選択図】図２
2017183383.tif 000002
【特許請求の範囲】
【請求項１】
基板を外部から挿入するためのスロットを有する筐体の内部において前記基板の挿入方向と交差する並設方向に並べて配置されて、前記基板を挿入方向に案内するための基板ガイド部材であって、
樹脂で一体的に形成されており、
前記筐体の内部に固定される支持部と、
前記支持部から突き出すとともに間隔を空けて前記挿入方向に延びることにより、前記基板を通過させるための溝を形成する少なくとも１対の第１突条部及び第２突条部とを備え、
前記少なくとも１対の第１突条部及び前記第２突条部は、
前記基板の厚さに応じた間隔で設けられており、前記挿入方向へ前記基板を案内する複数のガイド部と、
前記複数のガイド部の間を接続する部分であって、前記複数のガイド部よりも広い間隔で設けられた離間部とを有する
ことを特徴とする基板ガイド部材。
【請求項２】
前記第１突条部及び第２突条部は、少なくとも２対備えられており、
前記少なくとも２対の第１突条部及び第２突条部は、前記支持部の互いに対向する部分から両隣りの基板ガイド部材の各々へ向けて突き出す２対の第１突条部及び第２突条部を含む
ことを特徴とする請求項１に記載の基板ガイド部材。
【請求項３】
前記支持部は、前記複数のガイド部の各々を構成する前記少なくとも１対の第１突条部及び第２突条部の取り付け位置の間に前記並設方向の貫通孔を有する
ことを特徴とする請求項１又は２に記載の基板ガイド部材。
【請求項４】
基板を外部から挿入するためのスロットを有する筐体の内部において前記基板の挿入方向と交差する並設方向に並べて配置されて、前記基板を挿入方向に案内するための基板ガイド部材であって、
樹脂で一体的に形成されており、
前記筐体の内部に固定される支持部と、
前記支持部から突き出すとともに間隔を空けて前記挿入方向に延びることにより、前記基板を通過させるための溝を形成する少なくとも１対の第１突条部及び第２突条部とを備え、
前記支持部は、前記少なくとも１対の第１突条部及び第２突条部の取り付け位置の間に前記並設方向の貫通孔を有する
ことを特徴とする基板ガイド部材。
【請求項５】
基板を外部から挿入するためのスロットを有するカバー部と、
前記カバー部の中において前記基板の挿入方向と交差する並設方向に並べて配置される部材であって、各々が樹脂で一体的に形成された複数の基板ガイド部材とを備え、
前記基板ガイド部材の各々は、
前記カバー部の中に固定される支持部と、
前記支持部から隣りの基板ガイド部材へ向けて突き出すとともに間隔を空けて前記挿入方向に延びることにより、前記基板を通過させるための溝を形成する少なくとも１対の第１突条部及び第２突条部とを備え、
前記少なくとも１対の第１突条部及び前記第２突条部は、
前記基板の厚さに応じた間隔で設けられており、前記挿入方向へ前記基板を案内する複数のガイド部と、
前記複数のガイド部の間を接続する部分であって、前記複数のガイド部よりも広い間隔で設けられた離間部とを有する
ことを特徴とする筐体。
【請求項６】
前記基板ガイド部材が３つ以上であり、
前記複数の基板ガイド部材のうち、中間に位置する基板ガイド部材は、少なくとも２対の第１突条部及び第２突条部を有し、
前記少なくとも２対の第１突条部及び第２突条部は、前記支持部の互いに対向する部分から突き出す２対の第１突条部及び第２突条部を含む
ことを特徴とする請求項５に記載の筐体。
【請求項７】
前記支持部は、前記複数のガイド部の各々を構成する前記少なくとも１対の第１突条部及び第２突条部の取り付け位置の間に前記並設方向の貫通孔を有する
ことを特徴とする請求項５又は６に記載の筐体。
【請求項８】
基板を外部から挿入するためのスロットを有するカバー部と、
前記カバー部の中において前記基板の挿入方向と交差する並設方向に並べて配置される部材であって、各々が樹脂で一体的に形成された複数の基板ガイド部材とを備え、
前記基板ガイド部材の各々は、
前記カバー部の中に固定される支持部と、
前記支持部から隣りの基板ガイド部材へ向けて突き出すとともに間隔を空けて前記挿入方向に延びることにより、前記基板を通過させるための溝を形成する少なくとも１対の第１突条部及び第２突条部とを有し、
前記支持部は、前記少なくとも１対の第１突条部及び第２突条部の取り付け位置の間に前記並設方向の貫通孔を有する
ことを特徴とする筐体。
【発明の詳細な説明】
【技術分野】
【０００１】
本発明は、基板ガイド部材及び筐体に関する。
【背景技術】
【０００２】
基板が内部に収容される筐体として、例えば図７に示す参考例に係る筐体がある。参考例に係る筐体は、前面に、基板を挿入するためのスロットを、上下方向と左右方向との各方向に２個ずつ、計４個有する。また、参考例に係る筐体は、図８に示すように、挿入される基板を案内するため、左右方向に３つ並べて設けられた基板ガイド部材を内部に有する。
【０００３】
これらの基板ガイド部材は、筐体内の後方に設けられた端子と基板が有する端子とが確実に接続されるように基板を案内する必要がある。そのため、基板ガイド部材は、樹脂成形によって精度良く作るために、ヒケが生じないように設計されることが多い。
【０００４】
例えば特許文献１には、他の部分より厚い、いわゆる厚肉状に形成された部分は、そうでない部分よりも冷却時間が遅れ、表面にヒケが発生することがあることが記載されている。
【０００５】
参考例に係る基板ガイド部材の各々においても、ヒケを発生させないために、肉厚の部分ができないように設計される。特に、中央の基板ガイド部材は、基板を案内する案内部を左右の各々に有するので、肉厚の部分を含むことが多い。そこで、参考例に係る中央の基板ガイド部材は、同図に示すように、左右に分割して樹脂成形され、成形後に組み合わせることで作られることがある。これによれば、中央の基板ガイド部材が肉厚になるために生じるヒケの発生を抑えることができる。
【先行技術文献】
【特許文献】
【０００６】
【特許文献１】特開２００２−１０３３９５号公報
【発明の概要】
【発明が解決しようとする課題】
【０００７】
しかしながら、参考例に係る中央の基板ガイド部材は、左右に分割して樹脂成形されるので、部品点数が増えてしまう。また、分割して成形された部品を組み合わせる手間も掛かる。
【０００８】
本発明は、上記の事情に鑑みてなされたものであって、精度良く一体的に樹脂成形された基板ガイド部材などを提供することを目的とする。
【課題を解決するための手段】
【０００９】
本発明の第１の観点に基板ガイド部材は、
基板を外部から挿入するためのスロットを有する筐体の内部において前記基板の挿入方向と交差する並設方向に並べて配置されて、前記基板を挿入方向に案内するための基板ガイド部材であって、
樹脂で一体的に形成されており、
前記筐体の内部に固定される支持部と、
前記支持部から突き出すとともに間隔を空けて前記挿入方向に延びることにより、前記基板を通過させるための溝を形成する少なくとも１対の第１突条部及び第２突条部とを備え、
前記少なくとも１対の第１突条部及び前記第２突条部は、
前記基板の厚さに応じた間隔で設けられており、前記挿入方向へ前記基板を案内する複数のガイド部と、
前記複数のガイド部の間を接続する部分であって、前記複数のガイド部よりも広い間隔で設けられた離間部とを有する
ことを特徴とする。
【００１０】
本発明の第２の観点に基板ガイド部材は、
基板を外部から挿入するためのスロットを有する筐体の内部において前記基板の挿入方向と交差する並設方向に並べて配置されて、前記基板を挿入方向に案内するための基板ガイド部材であって、
樹脂で一体的に形成されており、
前記筐体の内部に固定される支持部と、
前記支持部から突き出すとともに間隔を空けて前記挿入方向に延びることにより、前記基板を通過させるための溝を形成する少なくとも１対の第１突条部及び第２突条部とを備え、
前記支持部は、前記少なくとも１対の第１突条部及び第２突条部の取り付け位置の間に前記並設方向の貫通孔を有する
ことを特徴とする。
【００１１】
本発明の第３の観点に係る筐体は、
基板を外部から挿入するためのスロットを有するカバー部と、
前記カバー部の中において前記基板の挿入方向と交差する並設方向に並べて配置される部材であって、各々が樹脂で一体的に形成された複数の基板ガイド部材とを備え、
前記基板ガイド部材の各々は、
前記カバー部の中に固定される支持部と、
前記支持部から隣りの基板ガイド部材へ向けて突き出すとともに間隔を空けて前記挿入方向に延びることにより、前記基板を通過させるための溝を形成する少なくとも１対の第１突条部及び第２突条部とを備え、
前記少なくとも１対の第１突条部及び前記第２突条部は、
前記基板の厚さに応じた間隔で設けられており、前記挿入方向へ前記基板を案内する複数のガイド部と、
前記複数のガイド部の間を接続する部分であって、前記複数のガイド部よりも広い間隔で設けられた離間部とを有する
ことを特徴とする。
【００１２】
本発明の第４の観点に係る筐体は、
基板を外部から挿入するためのスロットを有するカバー部と、
前記カバー部の中において前記基板の挿入方向と交差する並設方向に並べて配置される部材であって、各々が樹脂で一体的に形成された複数の基板ガイド部材とを備え、
前記基板ガイド部材の各々は、
前記カバー部の中に固定される支持部と、
前記支持部から隣りの基板ガイド部材へ向けて突き出すとともに間隔を空けて前記挿入方向に延びることにより、前記基板を通過させるための溝を形成する少なくとも１対の第１突条部及び第２突条部とを有し、
前記支持部は、前記少なくとも１対の第１突条部及び第２突条部の取り付け位置の間に前記並設方向の貫通孔を有する
ことを特徴とする。
【発明の効果】
【００１３】
本発明によれば、精度の良く一体で成形された基板ガイド部材などを提供することが可能になる。
【図面の簡単な説明】
【００１４】
【図１】本発明の一実施の形態に係る筐体の斜視図であって、上カバーを外した状態を示す図である。
【図２】一実施の形態に係る基板ガイド部材の斜視図である。
【図３】一実施の形態に係る基板ガイド部材の右側面図である。
【図４】図３の点線で囲んだ部分のうちの１つを拡大して示す図である。
【図５】一実施の形態に係る基板ガイド部材の正面図である。
【図６】一実施の形態に係る基板ガイド部材の左側面図である。
【図７】参考例に係る筐体の正面図であって、前面に設けられた４つのスロットの各々に基板が挿入された状態を示す図である。
【図８】参考例に係る筐体の斜視図であって、上カバーを外した状態を示す図である。
【発明を実施するための形態】
【００１５】
本発明の一実施の形態について図面を参照して説明する。以下の説明において、前後上下左右の用語を用いて方向を説明するが、これらは、説明のために用いるのであって、本発明を限定する趣旨ではない。
【００１６】
本発明の一実施の形態に係る筐体１００は、図１に示すように、基板１０１が配設される箱体である。筐体１００には、基板１０１の他に、電源装置、各種の配線などの部材が適宜配設される。
【００１７】
筐体１００は、図１に示すように、カバー部１０３と、３つの基板ガイド部材１０４ａ，１０４ｂ，１０４ｃと、端子保持部材１０５とを備える。カバー部１０３、３つの基板ガイド部材１０４ａ，１０４ｂ，１０４ｃ及び端子保持部材１０５は、嵌め合い、ネジ止めなどで互いに固定される。
【００１８】
以下、３つの基板ガイド部材１０４ａ，１０４ｂ，１０４ｃを特に区別しない場合、基板ガイド部材１０４とも表記する。
【００１９】
カバー部１０３は、各種の部品を収容するための空間を概ね囲む。本実施の形態に係るカバー部１０３は、前カバー１０６と、下カバー１０７と、図示しない上カバーとを有する。前カバー１０６、下カバー１０７及び上カバーは、嵌め合い、ネジ止めなどで固定され、これによって、一体的なカバー部１０３を形成する。
【００２０】
前カバー１０６は、図１に示すように、上下方向及び左右方向の各方向に２つずつ並設されたスロット１０２を有する。スロット１０２の各々は、基板１０１を外部から挿入するための開口である。図１に示す筐体１００の例では、左下のスロット１０２から基板１０１が挿設されている。
【００２１】
３つの基板ガイド部材１０４は、基板１０１を後方に案内するための部材であって、カバー部１０３の中において左右方向に並べて配置される。本実施の形態に係る基板ガイド部材１０４の各々は、樹脂で一体的に形成されており、カバー部１０３及び端子保持部材１０５に対して固定される。
【００２２】
ここで、本実施の形態では、後方が、基板１０１の挿入方向に相当する。また、本実施の形態では、左右方向が、基板１０１の挿入方向と交差する並設方向に相当する。
【００２３】
詳細には、基板ガイド部材１０４の各々は、支持部１０８と、少なくとも１対の第１突条部１０９及び第２突条部１１０とを有する。
【００２４】
支持部１０８は、カバー部１０３の中に固定される。本実施の形態に係る支持部１０８は、概ね平板状であって、適宜設けられたリブ、開口などを有する。
【００２５】
本実施の形態に係る支持部１０８は、詳細後述する複数のガイド部１１３の各々を構成する第１突条部１０９及び第２突条部１１０の取り付け位置の間に左右方向の貫通孔１１１を複数有する。
【００２６】
第１突条部１０９及び第２突条部１１０の各対は、支持部１０８から隣りの基板ガイド部材１０４ａ，１０４ｂ又は１０４ｃへ向けて突き出すとともに、上下方向の間隔を空けて後方に延びる。これにより、第１突条部１０９及び第２突条部１１０の各対は、基板１０１を通過させるための後方へ延びる溝を形成する。
【００２７】
ここで、第１突条部１０９と第２突条部１１０は、それぞれ、基板１０１を案内するために対をなして支持部１０８に設けられた突条部のうち、上方に位置するものと下方に位置するものとを指す。また、「後向へ延びる」とは、前端から後向に実質的に真っ直ぐに延びることだけでなく、前端から湾曲、屈曲、屈折などしつつ後向に延びることをも含む。
【００２８】
本実施の形態では、左端に位置する基板ガイド部材１０４ａと右端に位置する基板ガイド部材１０４ｂとは、概ね左右対称な形状であって、各々が、基板ガイド部材１０４ｃへ向けて突き出す２対の第１突条部１０９及び第２突条部１１０を有する。基板ガイド部材１０４ａと基板ガイド部材１０４ｂとの各々が有する第１突条部１０９及び第２突条部１１０の各対は、上下に並べて設けられている。基板ガイド部材１０４ａと基板ガイド部材１０４ｂとの各々が有する第１突条部１０９及び第２突条部１１０の各々は、前端から後向に実質的に真っ直ぐに延びる。
【００２９】
また、左右両端に位置する基板ガイド部材１０４ａ，１０４ｂ以外の基板ガイド部材１０４、すなわち、中間に位置する基板ガイド部材１０４ｃは、図２〜図６に示すように、４対の第１突条部１０９及び第２突条部１１０を有する。
【００３０】
詳細には、基板ガイド部材１０４ｃは、支持部１０８の左面から、基板ガイド部材１０４ａへ向けて、すなわち、左方へ突き出す２対の第１突条部１０９及び第２突条部１１０を有する。基板ガイド部材１０４ｃは、支持部１０８の右面から、基板ガイド部材１０４ｂへ向けて、すなわち、右方へ突き出す２対の第１突条部１０９及び第２突条部１１０を有する。
【００３１】
ここで、図２は、基板ガイド部材１０４ｃの斜視図である。図３は、基板ガイド部材１０４ｃの右側面図である。図４は、図３に示す点線の円１１２で囲んだ部分の拡大図である。図５は、基板ガイド部材１０４ｃの正面図である。図６は、基板ガイド部材１０４ｃの左側面図である。
【００３２】
基板ガイド部材１０４ｃの左方へ突き出す第１突条部１０９及び第２突条部１１０の各対は、上下に並べて設けられている。基板ガイド部材１０４ｃの右方へ突き出す第１突条部１０９及び第２突条部１１０の各対は、上下に並べて設けられている。
【００３３】
そして、支持部１０８の左右各面において上方にて突き出す第１突条部１０９及び第２突条部１１０の対は、それぞれ、支持部１０８の左右方向に互いに対向する部分から、両隣りの基板ガイド部材１０４ａ，１０４ｂへ向けて突き出す。支持部１０８の左右各面において下方にて突き出す第１突条部１０９及び第２突条部１１０の対も、それぞれ、支持部１０８の左右方向に互いに対向する部分から、両隣りの基板ガイド部材１０４ａ，１０４ｂへ向けて突き出す。
【００３４】
ここで、支持部１０８の左右方向に互いに対向する部分とは、本実施の形態では、これらの部分が、支持部１０８の左面と右面との各主面において上下方向に同じ位置であることを意味する。
【００３５】
基板ガイド部材１０４ｃが有する第１突条部１０９及び第２突条部１１０の各々は、前端から、屈折した部分を含んで後向に延びる。これによって、基板ガイド部材１０４ｃが有する第１突条部１０９及び第２突条部１１０の対では、複数のガイド部１１３と、複数の離間部１１４とが形成されている。
【００３６】
複数のガイド部１１３の各々は、基板ガイド部材１０４ｃが有する第１突条部１０９及び第２突条部１１０の対のうち、上下方向に基板１０１の厚さに応じた間隔で設けられた部分であり、実質的に真っ直ぐに後方に延びる。これにより、複数のガイド部１１３の各々は、後方へ基板を案内する。そして、複数のガイド部１１３は、互いに離間して前後方向に並んで設けられている。
【００３７】
ここで、基板１０１の厚さに応じた間隔とは、基板１０１が後方へ移動することができ、かつ、基板１０１が上下方向に予め定められた以上に移動することを規制する実質的に一定の間隔である。
【００３８】
複数のガイド部１１３が形成する溝は、基板ガイド部材１０４ａと基板ガイド部材１０４ｂとの各々が有する第１突条部１０９及び第２突条部１１０の各対が形成する溝と、上下方向に同じ位置、すなわち、左右方向に並べて設けられる。これにより、基板１０１が上下左右に移動することなく溝を通過して後方へ移動することができる。
【００３９】
複数の離間部１１４は、基板ガイド部材１０４ｃが有する第１突条部１０９及び第２突条部１１０の対のうち、複数のガイド部１１３の間を接続する部分である。複数の離間部１１４の各々は、第１突条部１０９及び第２突条部１１０の間隔について、複数のガイド部１１３よりも広い。
【００４０】
図１を再び参照する。
端子保持部材１０５は、固定基板１１５と、４つの固定端子１１６とを有する。固定基板１１５は、カバー部１０３の中で固定された基板である。４つの固定端子１１６は、それぞれ、４つのスロット１０２に対応付けて、固定基板１１５の前面に設けられた端子である。本実施の形態に係る固定基板１１５には、上下方向と左右方向とに２つずつ並べて、計４つの固定端子１１６が設けられている。
【００４１】
これまで、本発明の一実施の形態に係る筐体１００の構成について説明した。
【００４２】
本実施の形態に係る筐体１００に基板１０１を取り付ける場合、ユーザは、４つのスロット１０２のいずれかに基板１０１を挿入する。そして、ユーザは、基板ガイド部材１０４ａ，１０４ｂ，１０４ｃに形成された溝に沿って基板１０１を後方へ移動させる。
【００４３】
これにより、基板１０１の前端に設けられた挿入基板端子１１７が、端子保持部材１０５の固定端子１１６に嵌まって、基板１０１と固定端子１１６とを容易に電気的に接続することができる。また、基板１０１と固定端子１１６とが電気的に接続した状態で、基板１０１の前面が、筐体１００の前方へ露出している。本実施の形態において４つのスロット１０２のすべてに基板１０１を取り付けた筐体１００は、前方から見た場合、図７に示す筐体と概ね同様である。
【００４４】
これまで説明したように、本実施の形態に係る基板ガイド部材１０４ｃは、基板１０１を通過させるための溝を形成する少なくとも１対の第１突条部１０９及び第２突条部１１０を備える。そして、この少なくとも１対の第１突条部１０９及び第２突条部１１０は、後方へ基板１０１を案内する複数のガイド部１１３の間を接続する部分であって、複数のガイド部１１３よりも広い間隔で設けられた離間部１１４を有する。このような離間部１１４を設けることにより、基板ガイド部材１０４ｃの肉厚な部分を減らすことができるので、基板ガイド部材１０４が一体的に樹脂成形されても、ヒケを発生し難くすることができる。従って、精度良く一体的に樹脂成形された基板ガイド部材１０４ｃ及びそれを備える筐体１００を提供することが可能になる。
【００４５】
また、本実施の形態に係る基板ガイド部材１０４ｃの支持部１０８は、複数のガイド部１１３の各々を構成する少なくとも１対の第１突条部１０９及び第２突条部１１０の取り付け位置の間に並設方向の貫通孔１１１を有する。これにより、基板ガイド部材１０４の肉厚な部分を減らすことができるので、上述と同様に、精度良く一体的に樹脂成形された基板ガイド部材１０４ｃ及びそれを備える筐体１００を提供することが可能になる。
【００４６】
さらに、本実施の形態のように、基板ガイド部材１０４が３つ以上である場合、中間に位置する基板ガイド部材１０４ｃは、支持部１０８の互いに対向する部分から突き出す２対の第１突条部１０９及び第２突条部１１０を含んでもよい。
【００４７】
一般的に、支持部の互いに対向する部分から互いに離れる方向（本実施の形態では、左方向及び右方向の各々）へ延びる第１突条部及び第２突条部の対を有する基板ガイド部材１０４ｃでは、肉厚になり易い部分が多くなる。
【００４８】
本実施の形態に係る基板ガイド部材１０４ｃでは、上述のような離間部１１４及び貫通孔１１１を有する。これにより、基板ガイド部材１０４ｃの肉厚な部分を減らすことができるので、基板ガイド部材１０４ｃが一体的に樹脂成形されても、ヒケを発生し難くすることができる。従って、精度良く一体的に樹脂成形された基板ガイド部材１０４ｃ及びそれを備える筐体１００を提供することが可能になる。
【００４９】
以上、本発明の一実施の形態について説明したが、本発明は、この実施の形態に限られない。例えば、本発明は、以下のように変形されてもよく、実施の形態及び変形例の一部又は全部を適宜組み合わせた形態、その形態に適宜変更を加えた形態をも含む。
【００５０】
（変形例）
例えば、本実施の形態では、カバー部１０３が、下カバー１０７、前カバー１０６及び上カバーという３つの部品から構成される例により説明したが、カバー部１０３は、３つに限らず、幾つの部品で構成されてもよい。
【００５１】
例えば、本実施の形態では、基板ガイド部材１０４ｃのみが、貫通孔１１１と離間部１１４とを有する例により説明した。しかし、貫通孔１１１と離間部１１４とのいずれか一方又は両方が、適宜、基板ガイド部材１０４ａ，１０４ｂのいずれか一方又は両方に採用されてもよい。
【００５２】
例えば、基板ガイド部材１０４ｃに、上述のような離間部１１４及び貫通孔１１１のいずれか一方だけが設けられてもよい。この場合であっても、同様の効果を奏する。
【００５３】
これらの変形例によっても、実施の形態と同様に、基板ガイド部材１０４ｃの肉厚な部分を減らすことができるので、基板ガイド部材１０４ｃが一体的に樹脂成形されても、ヒケを発生し難くすることができる。従って、精度良く一体的に樹脂成形された基板ガイド部材１０４ｃ及びそれを備える筐体１００を提供することが可能になる。
【００５４】
上記の実施の形態の一部又は全部は、以下の付記のようにも記載され得るが以下には限られない。
（付記１）
基板を外部から挿入するためのスロットを有する筐体の内部において前記基板の挿入方向と交差する並設方向に並べて配置されて、前記基板を挿入方向に案内するための基板ガイド部材であって、
樹脂で一体的に形成されており、
前記筐体の内部に固定される支持部と、
前記支持部から突き出すとともに間隔を空けて前記挿入方向に延びることにより、前記基板を通過させるための溝を形成する少なくとも１対の第１突条部及び第２突条部とを備え、
前記少なくとも１対の第１突条部及び前記第２突条部は、
前記基板の厚さに応じた間隔で設けられており、前記挿入方向へ前記基板を案内する複数のガイド部と、
前記複数のガイド部の間を接続する部分であって、前記複数のガイド部よりも広い間隔で設けられた離間部とを有する
ことを特徴とする基板ガイド部材。
（付記２）
前記第１突条部及び第２突条部は、少なくとも２対備えられており、
前記少なくとも２対の第１突条部及び第２突条部は、前記支持部の互いに対向する部分から両隣りの基板ガイド部材の各々へ向けて突き出す２対の第１突条部及び第２突条部を含む
ことを特徴とする付記１に記載の基板ガイド部材。
（付記３）
前記支持部は、前記複数のガイド部の各々を構成する前記少なくとも１対の第１突条部及び第２突条部の取り付け位置の間に前記並設方向の貫通孔を有する
ことを特徴とする付記１又は２に記載の基板ガイド部材。
（付記４）
基板を外部から挿入するためのスロットを有する筐体の内部において前記基板の挿入方向と交差する並設方向に並べて配置されて、前記基板を挿入方向に案内するための基板ガイド部材であって、
樹脂で一体的に形成されており、
前記筐体の内部に固定される支持部と、
前記支持部から突き出すとともに間隔を空けて前記挿入方向に延びることにより、前記基板を通過させるための溝を形成する少なくとも１対の第１突条部及び第２突条部とを備え、
前記支持部は、前記少なくとも１対の第１突条部及び第２突条部の取り付け位置の間に前記並設方向の貫通孔を有する
ことを特徴とする基板ガイド部材。
（付記５）
基板を外部から挿入するためのスロットを有するカバー部と、
前記カバー部の中において前記基板の挿入方向と交差する並設方向に並べて配置される部材であって、各々が樹脂で一体的に形成された複数の基板ガイド部材とを備え、
前記基板ガイド部材の各々は、
前記カバー部の中に固定される支持部と、
前記支持部から隣りの基板ガイド部材へ向けて突き出すとともに間隔を空けて前記挿入方向に延びることにより、前記基板を通過させるための溝を形成する少なくとも１対の第１突条部及び第２突条部とを備え、
前記少なくとも１対の第１突条部及び前記第２突条部は、
前記基板の厚さに応じた間隔で設けられており、前記挿入方向へ前記基板を案内する複数のガイド部と、
前記複数のガイド部の間を接続する部分であって、前記複数のガイド部よりも広い間隔で設けられた離間部とを有する
ことを特徴とする筐体。
（付記６）
前記基板ガイド部材が３つ以上であり、
前記複数の基板ガイド部材のうち、中間に位置する基板ガイド部材は、少なくとも２対の第１突条部及び第２突条部を有し、
前記少なくとも２対の第１突条部及び第２突条部は、前記支持部の互いに対向する部分から突き出す２対の第１突条部及び第２突条部を含む
ことを特徴とする付記５に記載の筐体。
（付記７）
前記支持部は、前記複数のガイド部の各々を構成する前記少なくとも１対の第１突条部及び第２突条部の取り付け位置の間に前記並設方向の貫通孔を有する
ことを特徴とする付記５又は６に記載の筐体。
（付記８）
基板を外部から挿入するためのスロットを有するカバー部と、
前記カバー部の中において前記基板の挿入方向と交差する並設方向に並べて配置される部材であって、各々が樹脂で一体的に形成された複数の基板ガイド部材とを備え、
前記基板ガイド部材の各々は、
前記カバー部の中に固定される支持部と、
前記支持部から隣りの基板ガイド部材へ向けて突き出すとともに間隔を空けて前記挿入方向に延びることにより、前記基板を通過させるための溝を形成する少なくとも１対の第１突条部及び第２突条部とを有し、
前記支持部は、前記少なくとも１対の第１突条部及び第２突条部の取り付け位置の間に前記並設方向の貫通孔を有する
ことを特徴とする筐体。
【産業上の利用可能性】
【００５５】
本発明は、基板を外部から挿入して内部に取り付ける筐体、その筐体を含む各種の機器、その筐体に採用される基板ガイド部材などに利用することができる。
【符号の説明】
【００５６】
１００  筐体
１０１  基板
１０２  スロット
１０３  カバー部
１０４ａ，１０４ｂ，１０４ｃ  基板ガイド部材
１０５  端子保持部材
１０６  前カバー
１０７  下カバー
１０８  支持部
１０９  第１突条部
１１０  第２突条部
１１１  貫通孔
１１２  図３の円
１１３  ガイド部
１１４  離間部
１１５  固定基板
１１６  固定端子
１１７  挿入基板端子
【図１】
2017183383.tif 000003
【図２】
2017183383.tif 000004
【図３】
2017183383.tif 000005
【図４】
2017183383.tif 000006
【図５】
2017183383.tif 000007
【図６】
2017183383.tif 000008
【図７】
2017183383.tif 000009
【図８】
2017183383.tif 000010
【手続補正書】
【提出日】平成28年11月9日(2016.11.9)
【手続補正１】
【補正対象書類名】特許請求の範囲
【補正対象項目名】全文
【補正方法】変更
【補正の内容】
【特許請求の範囲】
【請求項１】
基板を外部から挿入するためのスロットを有する筐体の内部において前記基板の挿入方向と交差する並設方向に並べて配置されて、前記基板を挿入方向に案内するための基板ガイド部材であって、
樹脂で一体的に形成されており、
前記筐体の内部に固定される支持部と、
前記支持部から突き出すとともに間隔を空けて前記挿入方向に延びることにより、前記基板を通過させるための溝を形成する少なくとも１対の第１突条部及び第２突条部とを備え、
前記少なくとも１対の第１突条部及び前記第２突条部は、
前記基板の厚さに応じた一定の間隔で前記挿入方向へ予め定められた長さ延びる溝を形成するように設けられており、これによって、前記挿入方向へ前記基板を案内する複数のガイド部と、
前記複数のガイド部の間を接続する部分であって、前記複数のガイド部よりも広い間隔で設けられた離間部とを有する
ことを特徴とする基板ガイド部材。
【請求項２】
前記第１突条部及び第２突条部は、少なくとも２対備えられており、
前記少なくとも２対の第１突条部及び第２突条部は、前記支持部の互いに対向する部分から両隣りの基板ガイド部材の各々へ向けて突き出す２対の第１突条部及び第２突条部を含む
ことを特徴とする請求項１に記載の基板ガイド部材。
【請求項３】
前記支持部は、前記複数のガイド部の各々を構成する前記少なくとも１対の第１突条部及び第２突条部の取り付け位置の間に前記並設方向の貫通孔を有する
ことを特徴とする請求項１又は２に記載の基板ガイド部材。
【請求項４】
基板を外部から挿入するためのスロットを有するカバー部と、
前記カバー部の中において前記基板の挿入方向と交差する並設方向に並べて配置される部材であって、各々が樹脂で一体的に形成された複数の基板ガイド部材とを備え、
前記基板ガイド部材の各々は、
前記カバー部の中に固定される支持部と、
前記支持部から隣りの基板ガイド部材へ向けて突き出すとともに間隔を空けて前記挿入方向に延びることにより、前記基板を通過させるための溝を形成する少なくとも１対の第１突条部及び第２突条部とを備え、
前記少なくとも１対の第１突条部及び前記第２突条部は、
前記基板の厚さに応じた一定の間隔で前記挿入方向へ予め定められた長さ延びる溝を形成するように設けられており、これによって、前記挿入方向へ前記基板を案内する複数のガイド部と、
前記複数のガイド部の間を接続する部分であって、前記複数のガイド部よりも広い間隔で設けられた離間部とを有する
ことを特徴とする筐体。
【請求項５】
前記基板ガイド部材が３つ以上であり、
前記複数の基板ガイド部材のうち、中間に位置する基板ガイド部材は、少なくとも２対の第１突条部及び第２突条部を有し、
前記少なくとも２対の第１突条部及び第２突条部は、前記支持部の互いに対向する部分から突き出す２対の第１突条部及び第２突条部を含む
ことを特徴とする請求項４に記載の筐体。
【請求項６】
前記支持部は、前記複数のガイド部の各々を構成する前記少なくとも１対の第１突条部及び第２突条部の取り付け位置の間に前記並設方向の貫通孔を有する
ことを特徴とする請求項４又は５に記載の筐体。
【手続補正２】
【補正対象書類名】明細書
【補正対象項目名】０００９
【補正方法】変更
【補正の内容】
【０００９】
本発明の第１の観点に基板ガイド部材は、
基板を外部から挿入するためのスロットを有する筐体の内部において前記基板の挿入方向と交差する並設方向に並べて配置されて、前記基板を挿入方向に案内するための基板ガイド部材であって、
樹脂で一体的に形成されており、
前記筐体の内部に固定される支持部と、
前記支持部から突き出すとともに間隔を空けて前記挿入方向に延びることにより、前記基板を通過させるための溝を形成する少なくとも１対の第１突条部及び第２突条部とを備え、
前記少なくとも１対の第１突条部及び前記第２突条部は、
前記基板の厚さに応じた一定の間隔で前記挿入方向へ予め定められた長さ延びる溝を形成するように設けられており、これによって、前記挿入方向へ前記基板を案内する複数のガイド部と、
前記複数のガイド部の間を接続する部分であって、前記複数のガイド部よりも広い間隔で設けられた離間部とを有する
ことを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
本発明の第２の観点に係る筐体は、
基板を外部から挿入するためのスロットを有するカバー部と、
前記カバー部の中において前記基板の挿入方向と交差する並設方向に並べて配置される部材であって、各々が樹脂で一体的に形成された複数の基板ガイド部材とを備え、
前記基板ガイド部材の各々は、
前記カバー部の中に固定される支持部と、
前記支持部から隣りの基板ガイド部材へ向けて突き出すとともに間隔を空けて前記挿入方向に延びることにより、前記基板を通過させるための溝を形成する少なくとも１対の第１突条部及び第２突条部とを備え、
前記少なくとも１対の第１突条部及び前記第２突条部は、
前記基板の厚さに応じた一定の間隔で前記挿入方向へ予め定められた長さ延びる溝を形成するように設けられており、前記挿入方向へ前記基板を案内する複数のガイド部と、
前記複数のガイド部の間を接続する部分であって、これによって、前記複数のガイド部よりも広い間隔で設けられた離間部とを有する
ことを特徴とする。
【手続補正５】
【補正対象書類名】明細書
【補正対象項目名】００１２
【補正方法】削除
【補正の内容】
【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
基板を外部から挿入するためのスロットを有する筐体の内部において前記基板の挿入方向と交差する並設方向に並べて配置されて、前記基板を挿入方向に案内するための基板ガイド部材であって、
樹脂で一体的に形成されており、
前記筐体の内部に固定される支持部と、
前記支持部から突き出すとともに間隔を空けて前記挿入方向に延びることにより、前記基板を通過させるための溝を形成する少なくとも１対の第１突条部及び第２突条部とを備え、
前記少なくとも１対の第１突条部及び前記第２突条部は、
前記基板の厚さに応じた一定の間隔で前記挿入方向へ予め定められた長さ延びる溝を形成するように設けられており、これによって、前記挿入方向へ前記基板を案内する複数のガイド部と、
前記複数のガイド部の間を接続する部分であって、前記複数のガイド部よりも広い間隔で設けられた離間部とを有し、
前記支持部は、前記複数のガイド部の各々を構成する前記少なくとも１対の第１突条部及び第２突条部の取り付け位置の間に前記並設方向の貫通孔を複数有し、
当該複数の貫通孔は、前記挿入方向に並べて設けられている
ことを特徴とする基板ガイド部材。
【請求項２】
前記第１突条部及び第２突条部は、少なくとも２対備えられており、
前記少なくとも２対の第１突条部及び第２突条部は、前記支持部の互いに対向する部分から両隣りの基板ガイド部材の各々へ向けて突き出す２対の第１突条部及び第２突条部を含む
ことを特徴とする請求項１に記載の基板ガイド部材。
【請求項３】
基板を外部から挿入するためのスロットを有するカバー部と、
前記カバー部の中において前記基板の挿入方向と交差する並設方向に並べて配置される部材であって、各々が樹脂で一体的に形成された複数の基板ガイド部材とを備え、
前記基板ガイド部材の各々は、
前記カバー部の中に固定される支持部と、
前記支持部から隣りの基板ガイド部材へ向けて突き出すとともに間隔を空けて前記挿入方向に延びることにより、前記基板を通過させるための溝を形成する少なくとも１対の第１突条部及び第２突条部とを備え、
前記少なくとも１対の第１突条部及び前記第２突条部は、
前記基板の厚さに応じた一定の間隔で前記挿入方向へ予め定められた長さ延びる溝を形成するように設けられており、これによって、前記挿入方向へ前記基板を案内する複数のガイド部と、
前記複数のガイド部の間を接続する部分であって、前記複数のガイド部よりも広い間隔で設けられた離間部とを有し、
前記支持部は、前記複数のガイド部の各々を構成する前記少なくとも１対の第１突条部及び第２突条部の取り付け位置の間に前記並設方向の貫通孔を複数有し、
当該複数の貫通孔は、前記挿入方向に並べて設けられている
ことを特徴とする筐体。
【請求項４】
前記基板ガイド部材が３つ以上であり、
前記複数の基板ガイド部材のうち、中間に位置する基板ガイド部材は、少なくとも２対の第１突条部及び第２突条部を有し、
前記少なくとも２対の第１突条部及び第２突条部は、前記支持部の互いに対向する部分から突き出す２対の第１突条部及び第２突条部を含む
ことを特徴とする請求項３に記載の筐体。
【手続補正２】
【補正対象書類名】明細書
【補正対象項目名】０００９
【補正方法】変更
【補正の内容】
【０００９】
本発明の第１の観点に基板ガイド部材は、
基板を外部から挿入するためのスロットを有する筐体の内部において前記基板の挿入方向と交差する並設方向に並べて配置されて、前記基板を挿入方向に案内するための基板ガイド部材であって、
樹脂で一体的に形成されており、
前記筐体の内部に固定される支持部と、
前記支持部から突き出すとともに間隔を空けて前記挿入方向に延びることにより、前記基板を通過させるための溝を形成する少なくとも１対の第１突条部及び第２突条部とを備え、
前記少なくとも１対の第１突条部及び前記第２突条部は、
前記基板の厚さに応じた一定の間隔で前記挿入方向へ予め定められた長さ延びる溝を形成するように設けられており、これによって、前記挿入方向へ前記基板を案内する複数のガイド部と、
前記複数のガイド部の間を接続する部分であって、前記複数のガイド部よりも広い間隔で設けられた離間部とを有し、
前記支持部は、前記複数のガイド部の各々を構成する前記少なくとも１対の第１突条部及び第２突条部の取り付け位置の間に前記並設方向の貫通孔を複数有し、
当該複数の貫通孔は、前記挿入方向に並べて設けられている
ことを特徴とする。
【手続補正３】
【補正対象書類名】明細書
【補正対象項目名】００１１
【補正方法】変更
【補正の内容】
【００１１】
本発明の第２の観点に係る筐体は、
基板を外部から挿入するためのスロットを有するカバー部と、
前記カバー部の中において前記基板の挿入方向と交差する並設方向に並べて配置される部材であって、各々が樹脂で一体的に形成された複数の基板ガイド部材とを備え、
前記基板ガイド部材の各々は、
前記カバー部の中に固定される支持部と、
前記支持部から隣りの基板ガイド部材へ向けて突き出すとともに間隔を空けて前記挿入方向に延びることにより、前記基板を通過させるための溝を形成する少なくとも１対の第１突条部及び第２突条部とを備え、
前記少なくとも１対の第１突条部及び前記第２突条部は、
前記基板の厚さに応じた一定の間隔で前記挿入方向へ予め定められた長さ延びる溝を形成するように設けられており、前記挿入方向へ前記基板を案内する複数のガイド部と、
前記複数のガイド部の間を接続する部分であって、これによって、前記複数のガイド部よりも広い間隔で設けられた離間部とを有し、
前記支持部は、前記複数のガイド部の各々を構成する前記少なくとも１対の第１突条部及び第２突条部の取り付け位置の間に前記並設方向の貫通孔を複数有し、
当該複数の貫通孔は、前記挿入方向に並べて設けられている
ことを特徴とする。